(57)【要約】      （修正有）【課題】構造が単純で、簡単かつ安価に設置できる単純平板型のスライド式網戸を外開き窓用に使用することを可能とした網戸装置を提供する。【解決手段】窓枠室内側の上部及び下部に幅方向に設置された一対のレール２、３と、窓の蝶番側の窓枠の縦枠に密着しながら窓枠に嵌め込まれた板４と、前記レール２、３に案内されて窓の幅方向に可動的に設置された単純平板型網戸１とを備える外開き窓用のスライド式網戸装置。【選択図】図５
0003181207.tif 000002
【実用新案登録請求の範囲】
【請求項１】
外開き窓用のスライド式網戸装置であって、窓枠室内側の上部及び下部に幅方向に設置された上部レール（２）及び下部レール（３）と、窓の蝶番側の窓枠の縦枠に密着しながら窓枠に嵌め込まれた板（４）と、上部レール（２）及び下部レール（３）に案内されて窓の幅方向に可動的に設置された網戸（１）とを備える網戸装置。
【請求項２】
前記可動的に設置された網戸は、矩形の平板型網戸であることを特徴とする請求項１記載の網戸装置。
【請求項３】
前記上部レール及び下部レールは、プラスチック製であることを特徴とする請求項１又は２記載の網戸装置。
【請求項４】
前記板は木製又は樹脂製であることを特徴とする請求項１、２又は３記載の網戸装置。
【考案の詳細な説明】
【技術分野】
【０００１】
本考案は、取り付けが簡単で、安価な、外開き窓用のスライド式網戸装置に関する。
【背景技術】
【０００２】
縦方向の一端に蝶番を有する１面の外開き窓に網戸を設置する場合には、２面の引き戸を有する引き違い窓やテラス窓の場合のような横方向の移動範囲が確保できないため、また、窓の取手が室内側に飛び出ていることが多いため、汎用されているパネル網戸を設置することは難しい。
【０００３】
そこで、このような外開き窓には、縦引き若しくは横引きタイプのロール網戸、又はアコーディオンタイプの網戸を設置する場合が多い。
【先行技術文献】
【特許文献】
【０００４】
【特許文献１】特開２０００−１１０４６５号公報号公報
【特許文献２】特開２００１−３１７２７６号公報号公報
【考案の概要】
【考案が解決しようとする課題】
【０００５】
上述のように、外開き窓の場合は、汎用のパネル網戸の設置が難しいため、ロール網戸やアコーディオンタイプの網戸を設置することが多いが、これらの網戸はいずれの方式のものも高価である。また、平板型のスライド式網戸と比較して、構造が複雑で設置が難しい、耐久性に問題があり経年変化により動きが悪くなる、清掃が難しい等の欠点がある。
【０００６】
ロールタイプ又はアコーディオンタイプではない網戸であって、外開きの一枚戸に使用するものに関する先行発明には、上記特許文献１及び２がある。
【０００７】
特許文献１の発明は、１枚のパネル網戸の幅方向の長さを３等分して３枚の網戸に分割し、それぞれの網戸を、互いに平行に設置した３組の上下レールの案内によって独立可動とし、上記３枚の網戸が重なる位置までスライドさせることを可能としたものである。特許文献２の発明は、網戸の枠体を中央で縦方向に２分割することによって、網戸を折り畳み可能な折れ戸とし、該折れ戸の一の縦枠を、レール上で他の縦枠の方向にスライドさせることにより、前記網戸を２つに畳めるようにしたものである。
【０００８】
しかしながら、前記特許文献１の発明は、３枚の分割網戸をスライドさせるために３本のレールを並行して設置せねばならず、窓内側の下部分に十分な奥行スペースがない場合には設置することができない。また、前記特許文献２の折り畳み式網戸は、可動縦枠を上レールに吊り下げて横方向にスライドさせるための構造が複雑となるうえ、折り畳んだ状態（網戸を開けたときの状態）では、窓内側に折れ戸が突出した状態で折りこまれるため、その位置に物を置くことができない等の不便が生じる。
【０００９】
このように前記特許文献１及び２の発明においても、構造が複雑であること、設置が困難であること、又は高価であるという課題は解決されていない。
【００１０】
これらの課題を解決し、構造が単純で、簡単かつ安価に設置できる単純平板型のスライド式網戸を外開き窓用に使用することを可能とした網戸装置を提供することが本考案の要旨である。
【課題を解決するための手段】
【００１１】
上述の課題を解決するためには、単純平板型のスライド式網戸を外開き窓に設置することであるが、これには以下の問題が生ずる。
【００１２】
外開き窓については、開閉用の取っ手に手をかけて行う窓の開閉操作が必要となるため、また、前記取っ手が室内側に突出しているため、平板型網戸の横幅を窓の横幅よりも短くしたうえで、網戸を蝶番側にスライドできるようにして、網戸が前記取っ手にかからない程度の幅を確保する必要がある。
【００１３】
しかし、このように網戸の幅を窓の幅よりも短くすると、窓を開けて網戸を取っ手側にスライドさせたときは、窓の蝶番側の縦枠と、これに対応する網戸の縦枠との間に隙間が生じてしまうため、これを塞ぐ必要がある。
【００１４】
本考案では、平板型網戸を容易に配置し、幅方向にスライドさせるための一対のレールを、窓枠内側の上部及び下部に設置する（図２）。また、網戸の横幅を窓の横幅より短くすることにより生じる蝶番側の隙間をふさぐために、幅10ｃｍほどの矩形の板を、窓の蝶番側の縦枠に接着する形で設置する（図１）。
【考案の効果】
【００１５】
本考案の実施により、高価で構造が複雑なロール網戸やアコーデオン網戸の設置を業者に依頼することなく、単価が低い汎用の単純平板型スライド式網戸を外開き窓用に利用することができる。
【００１６】
また、本装置の設置に必要なレールと板は、どこでも手に入る市販の材料のみで作ることができるうえ、取り付けについて高度の計測は不要なため、装置全体を簡単に設置することができる。
【００１７】
さらに、本網戸装置の使用に際しては、（１）多くのロール網戸やアコーデオン網戸を操作するときに生じる不快音を発生させることがない、（２）スピーディーに開け閉めができる、（３）清掃が簡単で衛生的である、（４）網戸を使わない時期は取り外しておける、（５）特殊で高品位の網への取替えも簡単にできる、といったメリットがある。
【図面の簡単な説明】
【００１８】
【図１】板を設置する場所を示す図である。
【図２】下部レールをネジ止めする場合に、その場所を示す図である。
【図３】板と上下のレールを設置した状態を示す図である。
【図４】網戸を設置し、取っ手が操作できる状態を示す図である。
【図５】窓を開いて網戸を使用している状態を示す図である。
【考案を実施するための形態】
【００１９】
以下、本考案の実施の形態を図面を参照して説明する。
【００２０】
図４は、窓５を閉じて、網戸１を外開き窓５の蝶番側にスライド移動させて、開閉用の取っ手６を操作できるようにした状態を示す図である。網戸１の幅が窓５の幅よりも短いため、網戸１が室内側に突出している取っ手６にかかることはない。
【００２１】
一方、図５は窓５を開き、網戸１を窓５の取っ手側にスライド移動させた状態を示す図である。この状態で重要な役割を果たしているのが、網戸１と窓枠７との間にできる隙間を塞ぐ矩形の板４である。板４は窓５の蝶番側縦枠（窓枠７）に密着して設置されている。
【００２２】
すなわち、上述のとおり、本考案の要は、網戸１が取っ手６にかからない程度の幅を確保するために行うスライド移動を可能とするための一対のレール２及び３と、該幅を確保するために網戸１と窓枠７との間に生じる隙間を塞ぐための矩形の板４の設置にある。以下、レール２及び３と板４について詳しく説明する。
【００２３】
図１は、板４の大きさと設置場所を示す図である。網戸１の幅と窓５の幅との差は、窓５の開閉時に片手だけが窓枠の内外に出し入れできるようにすればよいので、板４の幅もこれに相応する長さとなり、窓５のガラス面を減少させるまでは要しない。
【００２４】
また、板４の長手方向の寸法は、板４を窓枠７に嵌め込むため、窓５の縦枠の高さと同寸法となり、厚さは、網戸１との隙間を塞ぐことができればよいので、窓枠７の厚さより小さくてもよい。
【００２５】
板４の材料については特に限定はないが、入手しやすく、切断、塗装等が容易な木材又は樹脂板等が適する。
【００２６】
図３は、板４のほか、上部レール２と下部レール３を、それぞれ窓枠７内側の上下に設置した状態を示す図である。レール２及び３は、市販のプラスチック製のものを使用し、設置場所は、上部レール２については窓枠いっぱいに設置するが、下部レール３は清掃しやすいように取っ手側窓枠との間を数ｃｍあけて設置する。
【００２７】
上部レール２と下部レール３は両面テープを使用して固定させるが、下部レール３は、図２に示すように、取っ手側端部近くをネジ止めして、ネジにストッパーとしての役割を持たせることもできる。もちろん、レール自体にストッパーを設置する場合には、ネジ止めの必要はない。
【符号の説明】
【００２８】
１    網戸
２    上部レール
３    下部レール
４    板
５    外開き窓
６    取っ手
７    窓枠
８    ネジ
【図１】
0003181207.tif 000003
【図２】
0003181207.tif 000004
【図３】
0003181207.tif 000005
【図４】
0003181207.tif 000006
【図５】
0003181207.tif 000007